(57)【要約】【課題】壁面に簡単に装着し、装着位置を自由に変更することができ、室内などにおいて使用する通常の植栽容器としても気軽に取り扱うことができる植栽容器を得る。【解決手段】内部に培養媒体を収容して植栽することができる本体１と、本体１の少なくとも前面において本体１と結合しかつ本体１から分離することができる蓋２と、を有し、本体１に蓋２を結合することにより、本体１内に植えた植物を外に向かって伸び出させることができる孔３が本体１の前面側に形成されるように構成され、本体１の背面側には本体１を壁面に装着するためのアタッチメント取り付け部５が背面の一部を窪ませることによって形成されている。【選択図】図１
2011172556.tif 000002
【特許請求の範囲】
【請求項１】
内部に培養媒体を収容して植栽することができる本体と、
上記本体の少なくとも前面において上記本体と結合しかつ本体から分離することができる蓋と、を有し、
上記本体に上記蓋を結合することにより、上記本体内に植えた植物を外に向かって伸び出させることができる孔が本体の前面側に形成されるように構成され、
上記本体の背面側には上記本体を壁面に装着するためのアタッチメント取り付け部が形成されている植栽容器。
【請求項２】
内部に培養媒体土を収容して植栽することができる本体と、
上記本体の前面において上記本体と結合しかつ本体から分離することができる蓋と、を有し、
上記本体は、前面側から背面側に至る線に沿って二分された本体部品が結合されることによって形成され、
上記蓋も、二分された蓋部品が結合されることによって形成され、
上記本体に上記二分された蓋部品を結合することにより、上記本体内に植えた植物を外に向かって伸び出させることができる孔が上記二分された蓋部品によって本体の前面側に形成されるように構成され、
上記本体の背面側には上記本体を壁面に装着するためのアタッチメント取り付け部が形成されている植栽容器。
【請求項３】
本体と蓋には、本体に対して蓋をスライドさせながら結合させるためのガイドが形成されている請求項１または２記載の植栽容器。
【請求項４】
二分された本体部品は同一形状をしていて、双方の凹部と凸部を互いに嵌合することによって本体が形成される請求項２または３記載の植栽容器。
【請求項５】
二分された蓋部品は同一形状をしていて、双方の凹部と凸部を互いに嵌合することによって蓋が形成される請求項２または３記載の植栽容器。
【請求項６】
アタッチメントは壁面に固着することができ、壁面に固着された上記アタッチメントに本体のアタッチメント取り付け部を結合することにより上記本体を壁面に装着することができる請求項１乃至５のいずれかに記載の植栽容器。
【請求項７】
アタッチメントは、本体の背面に形成されているアタッチメント取り付け部に嵌ることができるように形成されるとともに、本体の上記アタッチメント取り付け部の周壁に形成されている庇状の溝に嵌合して上記本体と結合することができる突縁部を有している請求項６記載の植栽容器。
【請求項８】
本体の背面に形成されているアタッチメント取り付け部は正方形状に形成され、上記アタッチメント取り付け部の４辺にアタッチメントが嵌合することができる庇状の溝が形成され、上記４辺の庇状の溝の一つにアタッチメントの突縁部を嵌合させることにより、上記本体を９０度間隔で任意の回転位置で装着することができるように構成されている請求項７記載の植栽容器。
【請求項９】
本体の背面にも孔が形成されている請求項１乃至８のいずれかに記載の植栽容器。
【請求項１０】
アタッチメントには壁面との接触面に窪みが形成され、この窪みはアタッチメントの固着姿勢において上縁が開放してこの開放縁部から上記窪みに水を導き入れることができるように構成されており、さらに、上記水を本体内に導き入れる管が上記窪みに続いて上記アタッチメントの厚さ方向に形成され、上記管は上記本体の背面の孔を貫いて上記本体内に至っている請求項９記載の植栽容器。
【請求項１１】
二分された本体部品相互の結合面には排水のための隙間が形成されている請求項２乃至１０のいずれかに記載の植栽容器。
【請求項１２】
本体と蓋は、リサイクルパルプを混合した樹脂による一体成形品である請求項１乃至１１のいずれかに記載の植栽容器。
【発明の詳細な説明】
【技術分野】
【０００１】
本発明は、例えば垂直な壁面にも容易に取り付けることができる植栽容器に関するものである。
【背景技術】
【０００２】
近年、環境意識の高まりとともに、建物の壁面を緑化する工夫がなされている。壁面を緑化するには、植物を真横にすなわち水平方向に向けて、あるいは斜め上方に向けて植え付ける必要がある。いずれにしても、植物を植え付けるための培養土ないしは培養媒体を安定に保持する工夫、給水、保水あるいは排水のための工夫などが必要である。また、壁面緑化を普及させるためには、施工が簡単であること、低コストであることが求められる。施工が簡単で低コストであれば、建物の外壁の緑化などの大掛かりなものに限らず、室内のインテリアとして利用される可能性も高くなる。
【０００３】
特許文献１には、建築物の壁面緑化に使用可能な緑化ユニットが記載されている。この緑化ユニットは、方形の容器本体と容器本体の前面に取り付け可能な蓋体を有し、容器本体は、容器本体を架材に着脱可能な係留手段と蓋体を支持する支持機構を有し、蓋体は、容器本体の前面から所定間隔を隔てて配置される前面格子とこの前面格子の下部に配置された格子状の膨出部分を有し、容器本体の前面と前面格子との間に生育空間が画成されるように構成したものである。
【０００４】
特許文献２には、主として、室内の壁面緑化用として好適な壁面緑化パネルが記載されている。この壁面緑化パネルは、土壌などの植栽基盤と植物を収容する収容室を有し、収容室に連通して植物を外部に露呈させることができる開口部が正面側に形成されたパネル本体と、このパネル本体の背面側に設けられた給水タンクと、この給水タンク内の水を毛細管現象でパネル本体の収容室に供給する導水シートとを具備してなる。
【０００５】
本発明は、後で詳細に説明するように、植栽容器本体とこの本体に結合し本体から分離することができる蓋とを有してなり、さらに、実施例によっては本体を２分することができるように構成したものであるが、本体を２分し、２分した本体を合わせた状態で上端部と下端部に環状の固定具を嵌め合わせて植木鉢が組み立てられるように構成した分割式植木鉢が特許文献３に記載されている。
【先行技術文献】
【特許文献】
【０００６】
【特許文献１】特開２００８−１１８９８４号公報
【特許文献２】特開２０１０−１７１６１号公報
【特許文献３】特開２００９−１０６１７４号公報
【０００７】
特許文献１記載の発明は、ビルの壁面や屋上などを緑化するのに適した緑化ユニットであって、施工が大掛かりになり、コスト高となるため、例えば、個人が室内装飾用として気軽に使用するには不向きである。
【０００８】
その点、特許文献２記載の発明は室内の装飾として使用することを想定して考えられたものである。しかし、特許文献２記載の発明によれば、パネル本体と収容室のほかに、給水タンクとこの給水タンクから水を毛細管現象によって上記収容室に導く導水シートを備えていて、構成が複雑になっている。また、パネル本体と収容室は位置を変更することができず、収容室に植えられた植物の向きを自由に変えることもできないから、植物の位置や向きを任意に変更して模様替えをすることはできない。
【０００９】
特許文献３記載の発明は、植木鉢本体が２分割されている点が本願発明の一実施例における位置構成部分と同じであって、壁面に装着することはできない。
【発明の概要】
【発明が解決しようとする課題】
【００１０】
本発明は、壁面に簡単に装着することができるとともに、装着位置を自由に変更することができ、室内などにおいて使用する通常の植栽容器としても気軽に取り扱うことができる植栽容器を提供することを第１の目的とする。
本発明はまた、壁面の法線を回転中心とした９０度間隔の任意の回転位置で本体を壁面に装着することを可能にして、植物の成長方向を任意に変えることができ、さらに、二分された本体部品を結合することによって本体を形成することにより、本体の壁面への装着回転位置によって保水可能な態様と排水可能な態様を任意に選択することができる植栽容器を提供することを第２の目的とする。
【課題を解決するための手段】
【００１１】
本発明は、内部に培養媒体を収容して植栽することができる本体と、上記本体の少なくとも前面において上記本体と結合しかつ本体から分離することができる蓋と、を有し、上記本体に上記蓋を結合することにより、上記本体内に植えた植物を外に向かって伸び出させることができる孔が本体の前面側に形成されるように構成され、上記本体の背面側には上記本体を壁面に装着するためのアタッチメント取り付け部が形成されていることを第１の特徴とする。
【００１２】
本発明はまた、内部に培養媒体土を収容して植栽することができる本体と、上記本体の前面において上記本体と結合しかつ本体から分離することができる蓋と、を有し、上記本体は、前面側から背面側に至る線に沿って二分された本体部品が結合されることによって形成され、上記蓋も、二分された蓋部品が結合されることによって形成され、上記本体に上記二分された蓋部品を結合することにより、上記本体内に植えた植物を外に向かって伸び出させることができる孔が上記二分された蓋部品によって本体の前面側に形成されるように構成され、上記本体の背面側には上記本体を壁面に装着するためのアタッチメント取り付け部が形成されていることを第２の特徴とする。
【発明の効果】
【００１３】
内部に培養媒体を収容して植栽することができる本体に蓋を結合することによって、本体の前面側に本体内に植えた植物を外に向かって伸び出させることができる孔が形成され、この孔以外の本体と蓋の大半は本体と蓋で覆われているため、アタッチメントを介して本体の底部を壁面に装着して本体を水平方向に向いた姿勢にしても、内部の培養媒体とこれに植栽されている植物がこぼれ落ちることはないし、植栽容器をきわめて気軽に取り扱うことができる。本体の背面側のアタッチメント取り付け部を、壁面に固着されているアタッチメントに取り付ける際に、上記壁面の法線を回転中心とした本体の回転位置は任意であり、本体の回転位置を変えることにより植物の成長方向を任意に変えることができる。
【００１４】
本発明のより具体的な特徴のある構成とその効果は、各実施例の説明によって明らかになる。
【図面の簡単な説明】
【００１５】
【図１】本発明に係る植栽容器の一実施例を示す分解斜視図である。
【図２】上記実施例を前方から俯瞰して示す斜視図である。
【図３】上記実施例を後方から俯瞰して示す斜視図である。
【図４】上記実施例における蓋部品を見上げた斜視図である。
【図５】上記実施例における壁面装着用アタッチメントを示す、（ａ）は前方からの斜視図、（ｂ）は後方からの斜視図である。
【図６】上記アタッチメントの背面図である。
【図７】上記アタッチメントの正面図である。
【図８】上記実施例の壁面装着部を示す平面図である。
【図９】本発明に係る植栽容器の別の実施例を示す分解斜視図である。
【図１０】本発明に係る植栽容器のさらに別の実施例を背面の下側から見上げて示す分解斜視図である。
【図１１】上記実施例を前面の上側から俯瞰して示す分解斜視図である。
【図１２】上記実施例を前方から俯瞰して示す斜視図である。
【図１３】上記実施例の側面図である。
【図１４】上記実施例を背面側から見上げた斜視図である。
【図１５】本発明に係る植栽容器の使用例を示す斜視図である。
【図１６】本発明に係る植栽容器の別の使用例を示す斜視図である。
【図１７】本発明に適用可能なアタッチメントの変形例を示す斜視図である。
【発明を実施するための形態】
【００１６】
以下、本発明に係る植栽容器の実施例を、図面を参照しながら説明する。
【実施例１】
【００１７】
図１乃至図８は第１の実施例を示す。まず、第１の実施例の構成を、植栽容器の外観を示す図２、図３を参照しながら概略的に説明する。図２、図３において、植栽容器は、内部に培養土などの培養媒体を収容して植栽することができる本体１と、本体１の前面において本体１と結合しかつ本体１から分離することができる蓋２とを有してなる。本体１は、前面側から背面側に至る分割線４に沿って二分された本体部品１１が結合されることによって形成され、蓋２も、二分された蓋部品２１が結合されることによって形成されている。二分された蓋部品２１を本体１の前端部において互いに結合することにより、本体１内に植えた植物を外に向かって伸び出させることができる孔３が上記二分された蓋部品２１によって本体の前面側に形成されるように構成されている。より具体的には、二つの蓋部品２１の前面の壁には、互いに接合する面に半円形の切り込み２２が形成されていて、二つの蓋部品２１を互いに対向させて結合することにより、双方の切り込み２２が対向して円形の孔３が形成されるように構成されている。本体１の背面側には、本体１を壁面に装着するためのアタッチメントを取り付けるためのアタッチメント取り付け部５が上記背面の一部を窪ませることによって形成されている。
【００１８】
以下、各部のより具体的な構成について説明する。図１に示すように、本体１を構成する二つの本体部品１１は、横断面が正方形の有底の筒を前面側から背面側に至る分割線に沿って２等分された形になっている。各本体部品１１は、一つの成形金型によって成形されることにより同じ形をしており、二つの本体部品１１の分割面に相当する面には適宜数の凸部１２と凹部１３が形成されている。二つの本体部品１１を腹合わせ状に対向させると、双方の凸部１２と凹部１３が対向し、これらの凸部１２と凹部１３を嵌合させることにより、横断面が正方形で有底の筒状の本体１が形成されるように構成されている。
【００１９】
本体部品１１の上端部には突縁部１６が一体に形成されている。突縁部１６は、蓋部品２の側壁２５の厚みにほぼ等しい分だけ本体１の外側面より内方に後退している。突縁部１６の根元の部分は庇状にえぐられて、蓋部品２がスライドしながら嵌合するガイド溝１７が形成されている。突縁部１６およびガイド溝１７は、二つの本体部品１１が結合された状態で連続して、本体１の全周にわたって形成されている。本体部品１１の内面側には、上記ガイド溝１７の形成位置とほぼ同じ位置において、突堤状の水受け１９が本体部品１１とともに一体成形されている。水受け１９は、横断面がＵ字形の本体部品１１の上記Ｕ字形の底に相当する部分に、上記Ｕ字の両側面にまたがって形成されている。本体１を、これを構成する一方の本体部品１１が他方の本体部品１１の下になるような姿勢に置くと、上記水受け１９によって水が堰き止められ、本体１内に水が溜められる態様になる。本体１を、二つの本体部品１１が左右に位置するような姿勢にすると、二つの本体部品１１の分割線４が垂直方向になり、本体１の底に位置する分割線４に沿う隙間から排水される態様になる。
【００２０】
図１では、蓋部品２１が一つだけ描かれているが、蓋２も、二分された蓋部品２１が結合されることによって形成される。図１、図４に示すように、蓋部品２１も、横断面が正方形の有底の筒を前面側から背面側に至る分割線に沿って２等分された形になっている。ただし、蓋部品２１は扁平な形をしており、その側壁２５の高さは、本体１の突縁部１６の突出高さに相当する高さになっている。各蓋部品２１は、一つの成形金型によって成形されることにより同じ形をしており、二つの蓋部品２１の分割面に相当する面には凸部２３と凹部２４が形成されている。二つの蓋部品２１を分割線に沿って対向させると、双方の凸部２３と凹部２４が対向し、これらの凸部２３と凹部２４を嵌合させることにより、横断面が正方形で有底の筒状の蓋２が形成されるように構成されている。前述のとおり、二つの蓋部品２１が互いに結合されることにより、円形の孔３が形成される。
【００２１】
蓋部品２１の側壁２５の端縁に沿って内向きのガイド突起２６が形成されている。このガイド突起２６は、前記本体１のガイド溝１７に沿ってスライドさせることによりガイド溝１７に嵌合させることができる。二つの蓋部品２１を対向させ、それぞれのガイド突起２６を本体１のガイド溝１７に沿ってスライドさせながら移動させ、双方の蓋部品２１の凸部２３と凹部２４を互いに嵌合させることにより、二つの蓋部品２１が結合されるとともに、これらの蓋部品２１が本体１に結合される。本体１のガイド溝１７は全周にわたって連続しているため、蓋部品２１を本体１に嵌合させる向きは前後左右の向きのうち任意の向きを選択することができる。したがって、蓋部品２１は、本体１に嵌合させる際に、本体１の前記分割線４に直交する向きに嵌合させることもできるし、分割線４に平行となるように嵌合させることもできる。
【００２２】
本体１の底面の中央には、この底面の一部を窪ませることによって前記アタッチメント取り付け部５が形成されている。アタッチメント取り付け部５は正方形状をしており、この正方形のアタッチメント取り付け部５の４辺の周壁は庇状に形成されることによって溝１４が形成されている。本体１は二分された形の同一形状の二つの本体部品１１が結合されることによって構成されているため、アタッチメント取り付け部５も二分された形で各本体部品１１に形成されている。アタッチメント取り付け部５を形成するために窪んだ本体１の底板には、本体内部に収容される培養土などからなる培養媒体の給水、排水などに供する円形の孔６が形成されている。二分された本体部品１１には互いに対向する面に半円形の切り込み２２が形成されていて、この切り込み２２が対向することによって上記孔６が形成されるようになっている。
【００２３】
上記アタッチメント取り付け部５の４辺の溝１４のうち１辺の溝１４を選択してアタッチメント８を取り付けることができるようになっている。図５乃至図７に示すように、アタッチメント８は、長辺の長さがアタッチメント取り付け部５の一辺の長さとほぼ等しく、短辺の長さがアタッチメント取り付け部５の一辺の長さよりも短い長方形の扁平な部材で、一方の面が壁面との接触面８２となっており、他方の面が本体１との接触面となっている。アタッチメント８の長辺をなす一方の側縁部は本体１との接触面側から外側に突出した突縁部８１となっている。この突縁部８１の厚さは本体１側の上記溝１４の高さ寸法とほぼ同じで、この溝１４に上記突縁部８１が潜り込むようにして嵌合することができるように構成されている。
【００２４】
アタッチメント８には、突縁部８１の根元側に複数の突起８６が、アタッチメント８の外側への突出量が同じで壁面との接触面８２と同一面をなして形成されている。これらの突起８６がアタッチメント取り付け部５を画する壁面に当たることにより、上記溝１４へのアタッチメント８の嵌入量が規制されるようになっている。アタッチメント８は、その長辺方向をアタッチメント取り付け部５の一辺方向に合わせることによってアタッチメント取り付け部５を構成する窪みに落とし込むことができる。この状態でアタッチメント８はその短辺がアタッチメント取り付け部５の一辺でガイドされながらスライドすることができ、さらに、スライドしながら突縁部８１がアタッチメント取り付け部５の一辺の溝１４に嵌合することができる。
【００２５】
図５乃至図８に示すように、アタッチメント８には、適宜の壁面９（図８参照）に固着するための孔８５が適宜数一体成形によって形成されている。孔８５には取り付けねじが挿入され、このねじを壁面９にねじ込むことによりアタッチメント８を壁面９に固着することができる。アタッチメント８の取り付け姿勢は、突縁部８１が上向きになるようにする。こうして壁面９に固着されたアタッチメント８に本体１の底部のアタッチメント取り付け部５を嵌め、本体１を下方にスライドさせ、アタッチメント取り付け部５の溝１４にアタッチメント８の突縁部８１を嵌合させることにより、本実施例に係る植栽容器を横向きに、すなわち水平方向に倒した態様で壁面９に固着することができる。
【００２６】
図８は、壁面９と、この壁面９に固定されたアタッチメント８と、本体１との関係を示している。アタッチメント８の壁面９との接触面８２には上縁が開放した窪み８３が形成されているため、アタッチメント８を壁面９に固着すると、壁面９とアタッチメント８との間に、上縁部が開放した隙間が形成される。したがって、本実施例に係る植栽容器が、雨降りの屋外に設置されていると、上記隙間に雨水が導き入れられる。図５乃至図７に示すように、アタッチメント８には、導き入れた雨水を本体１内に導き入れるための管８４が上記窪み８３に続いてアタッチメント８の厚さ方向に形成されている。上記管８４は本体１の背面に形成されている孔６を貫いて本体１内に至っている。したがって、上記隙間に導き入れられた雨水は管８４を経て本体１内に導き入れることができ、本体１内に収容された培養媒体を灌水することができる。
【００２７】
本体部品１１を結合して本体１を構成するた状態で、この結合部に適宜数の隙間７ができるようにするとよい（図２、図３参照）。図３に示すように、本体１の底面には、本体１を立てて使用する場合に、水平な面や受け皿などに接する脚となる突起１８が一体成形されている。図示の実施例では、アタッチメント取り付け部５の四隅近傍に突起１８が形成されている。
【００２８】
以上説明した第１の実施例に係る植栽容器の使用方法を説明する。まず、二つの本体部品１１を結合して本体１を形成し、本体１内に培養媒体を収容する。培養媒体は特に限定されるものではないが、あらかじめ本体１の内部空間の形状に合わせて成形した、例えばスポンジ状の培地マットなどを用いるのが望ましい。培養媒体には植物の種子を蒔いて発芽させてもよいし、苗を植えてもよいし、成長した植物を植えてもよい。本体１には、その突縁部１６に蓋２を被せる。蓋２は二つの蓋部品２１からなり、各蓋部品２１はそのガイド突起２６を本体１側のガイド溝１７に沿ってスライドさせ、双方の凸部２３と凹部２４を互いに嵌合させることによって蓋２を構成することになる。こうして蓋２を構成する際に、本体内の培養媒体から延びた植物の茎や幹などがある場合は、二つの蓋部材２１の切り込み２２によって茎や幹などを囲み、上記切り込み２２で形成される孔３から茎や幹などを延び出させる。
【００２９】
このようにして、上記孔３と底部の孔６を除き培養媒体が本体１と蓋２で囲まれるため、本体１と蓋２からなる植栽容器を横向きにしても培養媒体が植栽容器からこぼれ落ちることがない。したがって、本実施例に係る植栽容器を、垂直面をなす壁面に水平方向に向けて装着することも可能であり、その姿勢で植物を生育させることも可能である。また、培養媒体がこぼれ落ちることがないため、取り扱いがきわめて気楽であり、室内を装飾するための植木鉢代わりに使用すると、自由に移動することができ、誤って倒したとしても培養媒体がこぼれ落ちることがなく、室内を汚すこともない。
【００３０】
上記実施例に係る植栽容器を壁面に装着して使用する場合、雨が降りかかる屋外と雨が降りかかる心配のない屋内とで、水平方向の軸すなわち垂直な壁面の法線を軸とした回転位置を使い分けるとよい。すなわち、雨が降りかかる屋外で使用する場合は、降り込んだ雨水が長い日時本体内に溜まっていると植物が根腐れを起こすなどの弊害があるので、本体１の分割線４（図２、図３参照）が垂直方向に向くように装着する。これにより分割線４及び隙間７が本体１の下面にも存在することになるため、過剰な水分は分割線４及び隙間７から排水され、培養媒体によって水分量が適度に保たれる。室内で使用するときは、培養媒体に供給した水が分割線４及び隙間７からみだりに排水されると室内を汚すことになるので、上記分割線４及び隙間７が水平方向に向くように装着する。この態様では、本体１を構成する二つの本体部品１１のうちの一つが本体１の下半分を構成し、本体部品１１に形成されている水受け１９（図１参照）が本体１内の水を堰き止めるため、培養媒体に供給した水は下側の本体部品１１内に留まり、排水されることはない。よって、培養媒体の水分が適度に保たれるように、供給する水の量を考慮するとよい。
【００３１】
上記のように、本体１の回転位置は、壁面に固定されているアタッチメント８の突縁部８１に嵌合させる本体１側のアタッチメント取り付け部５の庇状の溝１４を変えることによって変更することができる。アタッチメント取り付け部５は略正方形であって、正方形の４辺に庇状の溝１４が形成されているから、４辺のうちの１辺を選択してその溝１４をアタッチメント８の突縁部８１に嵌合させるとよい。植物は重力に逆らって上方に延びる習性があるので、放置しておくと、壁面に横向きに装着された栽培容器から上方にのみ延び過ぎることがある。その場合は、栽培容器を反転させて壁面に装着して植物が延び出た向きを下向きにすれば、その後植物は上方に向かって延びるため、バランス良く延び出させることができる。複数の栽培容器を壁面に装着している場合、栽培容器の配置位置を変えることにより、壁面の模様替えを行うこともできる。
【実施例２】
【００３２】
次に、図９に示す第２の実施例について説明する。上記第１の実施例は全体が直方体状に形成されていたが、第２の実施例は全体が略球形に形成されている。全体の形状がほぼ球形である点が第１の実施例と異なるほかは、実質的に第１の実施例と同じであるから、第２の実施例について概略的に説明する。図９において、符号１０１は植栽容器の本体を、１０２は蓋を示す。本体１０１は前面側から背面側に至る分割線１０４によって二分された二つの本体部品１１１が結合されることによって形成され、蓋１０２も二分された二つの蓋部品１２１が結合されることによって形成される。蓋１０２は本体１０１の上端部に嵌合されるようになっていて、本体１０１と蓋１０２によってほぼ球形の植栽容器が形成されている。本体１０１の下部は水平面で切断された形になっていて、この水平面に、第１の実施例におけるアタッチメント取り付け部５と同様のアタッチメント取り付け部が形成されているが、図９には明示されていない。
【００３３】
二つの蓋部品１２１を対向させて結合させるために、対向する面に互いに嵌り合う凸部１２３と凹部１２４を有している。また、対向する面の中央部に半円状の切り込み１２２を有していて、二つの蓋部品１２１を対向させて結合すると、上記切り込み１２２によって円形の孔１０３が形成されるように構成されている。蓋部品１２１の内面側には、外周寄りの位置にかつ外周に沿ってガイド突起１２６が形成されている。本体部品１１１の上端部には、二つの本体部品１１１を結合することによって円形の突縁部となる半円状の突縁部１１６が形成されている。この突縁部１１６の基部外周側には突縁部１１６に沿って庇状のガイド溝１１７が形成されている。このガイド溝１１７に沿って上記蓋部品１２１のガイド突起１２６をスライドさせながら嵌合することにより、二つの蓋部品１２１を結合するとともに、本体１０１に蓋１０２が被せられた態様で結合される。符号１０７は、本体部品１１１の結合部に形成される隙間を示している。
【００３４】
図９に示す実施例は、外形が前記第１の実施例と異なるだけで、使用方法、効果は第１の実施例と変わりがない。
図９に示す実施例のように本体がほぼ球形の場合、蓋１０２を被せるための本体１０１の開口も小さくなりがちで、従来一般的な植栽容器の構造では、培養媒体の収容、取り出しの作業性が損なわれていた。その点、上記実施例に係る植栽容器によれば、本体を２分することができるため、培養媒体の収容、取り出しの作業性が向上する。
【実施例３】
【００３５】
次に、構成を簡略化した第３の実施例について図１０乃至図１４を参照しながら説明する。図１０乃至図１４において、符号２０１は植栽容器の本体を、２０２は蓋を示している。この実施例では本体２０１と蓋２０２は二分されておらず、それぞれが一体成形品である。本体２０１は直方体の箱形をしているが、前面側のほぼ上半分と上面が開放しており、この開放部を塞ぐようにして逆Ｌ字形の蓋２０２が被せられるようになっている。本体２０１に対し蓋２０２をスライドさせながら被せることができるように、蓋２０２の内面側にはガイド条２２６が形成されていて、このガイド条２２６を本体２０２の内面に沿わせながらスライドさせるようになっている。蓋２０２の下端縁には本体２０２に形成されている係合凹部２１９に係合することができる係合突部２２９が形成されていて、これら係合凹部２１９と係合突部２２９が係合することにより本体２０１に蓋２０２が結合された状態で被せられるようになっている。
【００３６】
本体２０１に蓋２０２を被せることによって前面に円形の孔２０３が形成されるように、本体２０１の前側の壁の上縁中央部に半円形の切り込み２１２が、蓋２０２の前側の壁の下縁中央部に半円形の切り込み２２２が形成されている。本体２０１の背面側には、アタッチメント取り付け部２０５が、アタッチメント８の左右方向の寸法とほぼ同じ間隔をおいて平行に形成された上下方向の２本の突条２１７間に形成されている。このアタッチメント取り付け部２０５の上端部に、アタッチメント８の突縁部８１が嵌入する溝２１４が形成されている。アタッチメント８は前述の実施例に用いられているものと同じ構成になっている。本体２０１の背面の四隅には、本実施例に係る植栽容器を水平な面や受け皿などの上において使用する場合に脚となる突起２１８が一体成形されている。本体２０１の背面にはまた、孔２０６が形成されている。アタッチメント取り付け部２０５にアタッチメント８を取り付けたとき、アタッチメント８の管８４が上記孔２０６を空間的な余裕をもって本体２０１内に至るまで突き抜けるように構成されている。
【００３７】
以上説明した第３の実施例は、構成が簡略化されているが、本体２０１内に培養媒体とこれに植栽した植物を収納した後、本体２０１に蓋２０２を被せ、植物の茎や幹を孔２０３に通すことにより、植物の育成を行いながら培養媒体などがこぼれ落ちるのを防ぐことができる。したがって、前記実施例と同様にアタッチメント８を使用して垂直な壁面に装着することができるし、通常の使用状態においても、培養媒体などがこぼれ落ちるのを心配することなく、気軽に取り扱うことができる。
【００３８】
何れの実施例においても、植栽容器を構成する本体と蓋の材質は樹脂とし、これを一体成形することによって得ることができる。さらに、リサイクルパルプを混合した樹脂による一体成形品とすることにより、省資源に配慮した製品とすることができる。
第１の実施例では、本体部分の横断面形状が正方形で横幅と奥行きが比較的厚みのある形状になっていたが、第３の実施例に示すように比較的薄型の形状にすることもできる。すなわち、本体部分の大きさは任意である。
【００３９】
図１５、図１６は、以上説明した本発明に係る植栽容器の使用例を示す。本発明に係る植栽容器は建物の壁面に装着して壁面緑化のために使用することができるが、本体とそれに被せる蓋からなり、植物が延び出る孔を除いて大部分が本体と蓋で覆われているという特性を活かして、室内の装飾品として利用することができる。図１５はその一例で、額縁状のプレート３００に、本発明に係る適宜数の植栽容器１００を横向きに装着したものである。プレート３００への植栽容器１００の装着は、前記アタッチメント８を介在させて行う。図１６は別の使用例で、縦長のデザイン化されたプレート４００に、本発明に係る複数の植栽容器２００を横向きにして上下方向に間隔をおいて、前記アタッチメント８を介在させて装着したものである。
【実施例４】
【００４０】
図１７は、アタッチメント８の変形例を示す。このアタッチメント８は基本的には前記アタッチメント８と同じ構成であり、アタッチメント８の左右方向両側面に一体成形によって角状の突起８７が付加されている点が前記アタッチメント８と異なっているのみである。したがって、前記アタッチメント８と同じ構成部分には同じ符号を付した。一対の突起８７は、前記突縁部８１とともに本体の溝あるいは係合部に係合することによって本体との結合をより強固なものとすることができる。また、突起８７は、アタッチメント８の厚さ方向において上記突縁部８１の面と異なる位置に形成されているので、突起８７で本体を一方向から押さえ、上記突縁部８１で本体を反対方向から押さえるようにする。こうすることによって、アタッチメント８と本体との結合をより確実かつ強固なものにすることができる。
【００４１】
以上、本発明に係る植栽容器の実施例を説明した。この実施例に係る植栽容器を使用することにより、すでに説明した効果を得ることができるとともに、以下のような効果を得ることができる。
一つの植栽容器を構成する本体部品や蓋部品の色は同一の色に統一する必要はなく、色違いの本体部品や蓋を任意に組み合わせて配色を楽しむことができる。
一つの植栽容器を構成する本体部品や蓋部品は、分割することによって製造コストを低減することができる。本体や蓋はそれぞれ分割することができない一体成形部品であるとすると、成形用金型が複雑になり、製造コストが嵩む。
本体を分割した構成にすることにより、二つの本体部品が上下の位置関係または左右の位置関係になるように使い分けることができる。上下の位置関係にある場合は保水機能を持ち、左右の位置関係にある場合は排水の機能をもつ。
本体や蓋の素材をパルプ入りの樹脂とすることにより、ユーザーが絵などを任意に書き込むことができ、また、任意に着色することもできる。
【産業上の利用可能性】
【００４２】
環境意識の高まりに伴って、建物の壁面や屋上を緑化するケースが増えることが予想される今日、本発明に係る植栽容器を使用すれば、大がかりな構造物を使用することなく、壁面を容易に緑化することができる。また、室内においても、通常の植木鉢に代わって取り扱いの容易な本発明に係る植栽容器を使用すれば、インテリアとして幅広く使用することができるため、多くの需要が見込まれる。
【符号の説明】
【００４３】
１    本体
２    蓋
３    孔
４    分割線
５    アタッチメント取り付け部
６    孔
７    隙間
８    アタッチメント
９    壁面
１１    本体部品
１２    凸部
１３    凹部
１４    溝
１６    突縁部
１７    ガイド溝
２１    蓋部品
２３    凸部
２４    凹部
２５    側壁
２６    ガイド突起
８１    突縁部
８２    壁面との接触面
８３    窪み
８４    管
【図１】
2011172556.tif 000003
【図２】
2011172556.tif 000004
【図３】
2011172556.tif 000005
【図４】
2011172556.tif 000006
【図５】
2011172556.tif 000007
【図６】
2011172556.tif 000008
【図７】
2011172556.tif 000009
【図８】
2011172556.tif 000010
【図９】
2011172556.tif 000011
【図１０】
2011172556.tif 000012
【図１１】
2011172556.tif 000013
【図１２】
2011172556.tif 000014
【図１３】
2011172556.tif 000015
【図１４】
2011172556.tif 000016
【図１５】
2011172556.tif 000017
【図１６】
2011172556.tif 000018
【図１７】
2011172556.tif 000019